(57)【要約】  放射線検査用の支持デバイス（１）が提供され、患者は検査される身体の部分を有し、支持デバイス（１）は、床上に立ち、外周側面部材（２）であって、前記患者を、閉鎖した外周に沿って、少なくとも水平平面内で、そして、使用時に、外周の複数の側面で患者と実質的に接触して収容するのに適する、外周側面部材（２）を備え、外周側面部材（２）のほとんどの部分を形成する開口可能収容部分（４）と、検査される身体の前記部分を収容するのに適し、Ｘ線に対して実質的に透過性がある、外周側面部材（２）の残りの部分を形成する検査部分（５）とを備える。【選択図】図１
2018535018.tif 000002
【特許請求の範囲】
【請求項１】
放射線検査用の支持デバイス（１）であって、
−患者は検査される身体の部分を有し、
−支持デバイス（１）は、
−外周側面部材（２）であって、患者を、閉鎖した外周に沿って、少なくとも水平平面内で、そして、使用時に、前記外周の複数の側面で患者と実質的に接触して収容するのに適する、外周側面部材（２）を備え、
−前記外周側面部材（２）のほとんどの部分を形成する開口可能収容部分（４）と、
−検査される身体の前記部分を収容するのに適し、Ｘ線に対して実質的に透過性があり、前記外周側面部材（２）の残りの部分を形成する検査部分（５）とを備えることを特徴とする、支持デバイス（１）。
【請求項２】
患者を支持するベースまたは水平支持体を備えない、請求項１に記載の支持デバイス（１）。
【請求項３】
床に対して支持デバイス（１）の移動を可能にするのに適する取外し可能摺動手段（３）を備える、請求項１〜２のいずれか１項に記載の支持デバイス（１）。
【請求項４】
支持デバイス（１）が、実質上排他的に前記摺動手段（３）を通して前記床と接触状態のままである間に移動されるか、または、前記摺動手段（３）が前記床と接触状態にないときに前記床に実質的に固定されるように、前記摺動手段（３）を移動させるのに適する直線移動デバイス（６）を備える、請求項１〜３のいずれか１項に記載の支持デバイス（１）。
【請求項５】
前記検査部分（５）は、水平平面内で前記収容部分（４）に対して突出して、水平平面内でＸ線に対して実質的に透過性がある材料で排他的に作られる部分を形成する、請求項１〜４のいずれか１項に記載の支持デバイス（１）。
【請求項６】
前記検査部分（５）は、水平平面内で楔状検査壁（５ａ）を画定する、請求項１〜５のいずれか１項に記載の支持デバイス（１）。
【請求項７】
前記検査部分（５）は、前記収容部分（４）に対して曝射方向（５ｂ）に突出し、前記検査壁（５ａ）は、水平平面内で前記曝射方向（５ｂ）に並進可能である、請求項１〜６のいずれか１項に記載の支持デバイス（１）。
【請求項８】
前記検査部分（５）は、複数の要素（５ｃ）からなり、前記複数の要素（５ｃ）は、垂直に積重ねられ、また、それぞれが、他の前記要素（５ｃ）に無関係に並進可能かつ取外し可能である、請求項１〜７のいずれか１項に記載の支持デバイス（１）。
【請求項９】
前記要素（５ｃ）は、前記曝射方向（５ｂ）に実質的に平行に回転軸の周りに回転するのに適する、請求項７〜８のいずれか１項に記載の支持デバイス（１）。
【請求項１０】
前記外周側面部材（２）は、形状が実質的に平行六面体であり、前記収容部分（４）は、前記平行六面体の３つの側部壁を実質的に画定し、前記検査部分（５）は、前記平行六面体の残りの部分を画定し、前記収容部分（４）２つの壁は、開口可能である、請求項１〜９のいずれか１項に記載の支持デバイス（１）。
【発明の詳細な説明】
【技術分野】
【０００１】
本発明の目的は、請求項１のプリアンブルに列挙されるタイプの放射線検査用の支持デバイスである。
【０００２】
特に、本発明は、患者、好ましくは動物を、放射線撮像中に正しい位置に支持するため、放射線医学、特に、獣医学分野で使用するのに適するデバイスに関する。更に、支持デバイスは、放射線術中操作で使用するのに適する。
【背景技術】
【０００３】
現在、ベッドまたは同様なデバイスは、Ｘ線撮影中、患者を支持するために使用される。
【０００４】
こうしたベッドは、患者がその上に置かれる支持構造を画定する平坦構造、及び、平坦構造を放射線撮像デバイスに固定するための手段からなる。
【０００５】
こうしたベッドによって、患者、特に、動物は、正しい位置をとるように、また、画像を採取するための関心領域が、検査エリアの内部に、すなわち、センサと線源との間になるようにベッド上に置かれる。
【０００６】
患者は、ベルトまたはストラップによってこの位置にブロックされて、患者が移動し、関心領域の画像の正しい採取を可能にしないことを防止する。
【０００７】
こうした移動を防止するため、動物はしばしば鎮静剤を投与されることに留意されたい。
【０００８】
第１の重要な欠点は、こうしたベッドによって、動物を正しい位置に配置することが複雑かつ骨の折れるプロセスであることである。
【０００９】
この問題は、ベッドに置くことが難しい馬または他の大型動物の場合に特に明らかである。
【００１０】
別の重要な欠点は、動物が横になる状態で画像が採取されなければならないため、このことが欠陥及び問題を見る可能性を制限することからなる。
【００１１】
この局面は、ベルトまたはストラップが、動物が移動することを防止するためにしばしば使用され、これらが関心領域の上を通過するため、採取される画像の品質を蝕むことによって悪化する。
【００１２】
別の重要でなくはない欠点は、動物がほぼ常に鎮静剤を投与されなければならないことにある。
【発明の概要】
【発明が解決しようとする課題】
【００１３】
この状況において、本発明の技術的目的は、先に述べた欠点を実質的に克服することができる放射線検査用の支持デバイスを考案することである。
【００１４】
前記技術的目的の範囲内で、本発明の１つの重要な目標は、容易かつ使用するのが簡単である放射線検査用の支持デバイスを提供することである。
【００１５】
本発明の別の重要な目標は、たとえ動物が寝ていなくても、画像が容易に採取されることを可能にする放射線検査用の支持デバイスを提供することである。
【００１６】
本発明の更なる目的は、画像の採取に干渉する可能性がある要素を使用することなく、動物を静止状態に保持する間に、画像が採取されることを可能にする放射線検査用の支持デバイスを提供することである。
【課題を解決するための手段】
【００１７】
技術的目標及び指定される目標は、添付請求項１で請求される放射線検査用の支持体によって達成される。
【００１８】
好ましい実施形態は、従属請求項において述べられる。
【００１９】
本発明の特徴及び利点は、添付図面を参照して、放射線検査用の支持デバイスの好ましい実施形態の以下の詳細な説明から明々白々である。
【図面の簡単な説明】
【００２０】
【図１】本発明による支持デバイスの、主に前からの第１の軸側図である。
【図２】本発明による支持デバイスの、主に上からの第２の軸側図である。
【図３】本発明による支持デバイスの、主に上からでかつ第２の構成の軸側図である。
【図４】本発明による支持デバイスの側面図である。
【図５】本発明による支持デバイスの正面図である。
【図６】本発明による支持デバイスの後面図である。
【図７】本発明による支持デバイスの上からの図である。
【発明を実施するための形態】
【００２１】
本文書において、測定値、値、形態、及び幾何学的データ（垂直度及び平行度）は、「約（ａｂｏｕｔ）」等の用語、あるいは、「事実上（ｐｒａｃｔｉｃａｌｌｙ）」または「実質的に（ｓｕｂｓｔａｎｔｉａｌｌｙ）」等の他の同様な用語と共に使用されると、生産及び／または製造誤差による測定誤差または不正確さが全くない、またとりわけ、用語が関連付けられる、値、測定値、形態、または幾何学的データからのわずかな逸脱がないと考えられる。例えば、こうした用語は、値に関連付けられると、好ましくは、前記値のせいぜい１０％の差を示す。
【００２２】
更に、「第１の（ｆｉｒｓｔ）」、「第２の（ｓｅｃｏｎｄ）」、「上の（ｕｐｐｅｒ）」、「下の（ｌｏｗｅｒ）」、「主な（ｍａｉｎ）」、及び「２次の（ｓｅｃｏｎｄａｒｙ）」等の用語は、必ずしも、順序、優先度、またはそれぞれの位置を示すのではなく、単に、異なる構成要素を明確に区別するために使用されてもよい。
【００２３】
前記図を参照すると、参照数字１は、本発明による放射線検査用の支持デバイスを全体的に示す。支持デバイスは、放射線検査中に、患者及び患者の移動によって占められる空間を、ブロックする、不動化する、または単に制限するのに適する。前記患者は、好ましくは、動物、より好ましくは四肢動物、更により好ましくは、馬科の動物またはウシ科の動物、更により好ましくは馬である。
【００２４】
前記患者は、検査される必要があるその身体の部分を有し、特定の場合、これは、脚か、頭か、首か、または身体の他の部分であってもよい。
【００２５】
そのため、支持デバイス１は、特に、前記患者及び身体の前記部分に関して断層撮影、Ｘ線撮影、及び／またはＸ線透視を実施するため、放射線検査で使用するのに適する。
【００２６】
そのため、支持デバイス１は、放射線撮像デバイスと共に使用するのに適する。詳細には、支持デバイス１は、放射線撮像デバイスの検査エリアの内部に、すなわち、線源と前記放射線撮像デバイスの検出器との間に少なくとも部分的に挿入され得る。
【００２７】
支持デバイス１は、簡潔に言えば、患者を、閉鎖した外周に沿ってまた少なくとも水平平面内で収容するのに適する外周側面部材２を備え、外周側面部材２と、患者は好ましくは外周の複数の側面で接触する。
【００２８】
本文書において、用語、水平は、平面を指し、軸は、床に実質的に平行であり、特に、重力勾配に実質的に垂直であることに留意されたい。更に、本文書において、用語、垂直は、平面を指し、軸は床に実質的に垂直であり、特に、重力勾配に実質的に平行である。
【００２９】
本質的に、外周側面部材２は、水平平面内で患者をほぼ完全に囲むため、患者は、その内部に拘束される。そのため、側面部材２は、幾つかの側面で、好ましくは、直交平面によって画定される少なくとも４つの側面で患者と接触する。
【００３０】
適切には、更に、支持デバイス１は、患者を支持するために１つまたは複数のベースあるいは水平支持体を備える必要がないため、患者は床の上に直接立つ。
【００３１】
外周側面部材２は、前記外周側面部材２のほとんどの部分を形成する、適切に開口可能な収容部分４、及び、検査される身体の部分を収容するのに適しかつＸ線に対して実質的に透過性がある、外周側面部材２の残りの部分を少なくとも部分的に、特に、残りの部分の事実上全てを形成する検査部分５を備える。
【００３２】
より詳細には、検査部分５は、水平平面内で収容部分４に対して突出する。その結果、検査部分５は、水平平面内でまたは上から見ると、Ｘ線に対して実質的に透過性がある材料で排他的に作られ、したがって、放射線撮像デバイスの検査エリアの内部に、好ましくは事実上排他的に挿入され得る部分を形成する。
【００３３】
特に、検査部分５は、収容部分４に対して曝射方向５ｂにかつ前記曝射方向５ｂにほぼ垂直な平面に沿って突出する。結果として、外周側面部材２は、患者用のハウジングの境界を定め、検査部分５は、収容部分４によって境界を定められたハウジングと別個である前記ハウジングの部分の境界を定める。
【００３４】
前記曝射方向５ｂは実質的に水平である。
【００３５】
更に、有利には、検査部分５は、水平平面内でまたは上から見ると、実質的に楔状である検査壁５ａを画定する。前記楔部分は、検査される身体の部分が、前記楔の中央角に対応して正確な位置にブロックされることを可能にする。明らかに、前記楔は、凸状であり、適切には、凹面を有し、凹面は、内方に、すなわち、添付図に示す収容部分４の方に向く。
【００３６】
検査壁５ａは、好ましくは、水平平面内で、曝射方向５ｂに並進可能であるため、大きなまたは小さなエリアが、検査部分５について選択され得る。
【００３７】
更に、検査部分５は、複数の要素５ｃによって形成され、複数の要素５ｃは、垂直にではあるが、好ましくは、互いに接触しないように積重ねられ、また、要素５ｃのそれぞれは、他の前記要素５ｃと別々にまたそれと無関係に移動され得る及び／または引出され得る。好ましくは、前記要素５ｃは、管状または同様の形状であり、第１の楔部分、及び、少なくとも第２の部分、適切には、曝射方向５ｂに平行な、楔の２つの端のそれぞれのための第２の部分を備える。第２の部分は、収容部分４内に設けられる座４ａ内に配置されてもよい。前記座４ａは、実質的にスロットまたは結合スリーブであり、ねじまたは同様なもの等のロッキング要素４ｂを備える。要素５は、同様に、サジタル平面で、２つの別個の部分に分割されてもよく、２つの別個の部分は、互いに接触する、または、前記楔部分の中央部分に対応して非常に短い距離だけ離れている。
【００３８】
要素５ｃのそれぞれが、曝射方向５ｂに実質的に平行な回転軸の周りに回転され得ることが強調される。特に、要素５ｃは、独立に回転して、互いに向かってまたは離れて押され得る。代替的に、要素５ｃは同期して回転可能である。
【００３９】
最後に、検査部分５は、適切には、Ｘ線に対して透過性があり、また好ましくは、平均して、実質的に１０００ＨＵ（：Ｈｏｕｎｓｆｉｅｌｄ  ｕｎｉｔ、ハンスフィールドユニット）未満、６００ＨＵ未満、より好ましくは、１００ＨＵ未満の放射線濃度を有する材料で作られる。検査部分５は、好ましくは、ポリマーマトリクス、適切には、エポキシマトリクスを有する複合材料で作られる。
【００４０】
ポリマーマトリクスは、樹脂、より好ましくは、エポキシまたは同様の樹脂であってもよい。代替的に、マトリクスは、発泡体、適切には、エポキシ発泡体である。
【００４１】
補強材は、好ましくは、ファイバ、より詳細には、カーボンファイバまたはアラミドファイバの形態である。
【００４２】
要素５の前記可動性のせいで、検査壁５ａは、形状が実質的に可変であり、特定の動物及び検査される身体の特定の部分に従って調整されてもよい。
【００４３】
明確にするために要約すると、外周側面部材２は、形状がおおよそ平行六面体であるハウジングの境界を定め、平行六面体の１つの面は、好ましくは、上述したようにほぼ楔状であり、検査壁からなる。楔状面を有するこうした平行六面体ハウジングについて、収容部分４は、平行六面体の３つの側壁を実質的に画定し、検査部分５は、平行六面体の残りの部分、すなわち、楔状面によって境界を定められる部分を画定する。
【００４４】
既に述べたように、収容部分４は、患者が容易に内部に置かれるように開口可能である。開口は、好ましくは広く、また、好ましくは、外周の角度部分に関して、水平平面内でまたは上から見ると、９０°より大きい、より好ましくは１２０°より大きい、更により好ましくは、１５０°より大きくかつ２００°より小さい角度を有する。
【００４５】
詳細には、収容部分４は、好ましくは、開口可能である、３つの側面部材からの２つの連続する側面部材を備える。好ましくは、開口可能側面部材は、検査壁５ａに対向する後側面部材４ｃ及び側壁である。
【００４６】
適切には、収容部分４は、２つの側壁を有し、２つの側壁は、互いに対向し、かつ、患者が直立位置で外周側面部材２の間に置かれることを可能にするような側壁の間の距離で配置された後側部材４ｃに隣接する。
【００４７】
曝射方向５ｂに垂直に計算される前記対向する側壁間の前記距離は、実質的に２ｍ未満、詳細には、１．５ｍ未満、より詳細には、１ｍ未満である。精密であるために、対向する側壁間の距離は、実質的に０．７ｍと０．３ｍとの間、好ましくは、０．６ｍと０．５ｍとの間である。
【００４８】
収容部分４は、同様に、上側面部材を備えてもよく、上側面部材は、実質的に水平であり、好ましくは、解除可能締結手段によって収容部分４の残りの部分に締結される。
【００４９】
構造的に、収容部分４は、好ましくは、中空管状要素から好ましくはなるトレリス構造からなる。前記トレリス構造は、好ましくは、金属で作られ、また、例えば、木材、ポリマー、または更に金属で作られた平坦要素を充填され得る。トレリス構造は、同様に、ポリマー、エラストマー、または他の材料等の軟質材料で作られたパディングを備えてもよい。
【００５０】
放射線検査用の支持デバイス１は、放射線撮像デバイスに接続され、放射線撮像デバイスによって支持される。好ましい代替の実施形態によれば、支持デバイス１は床の上に立つ。
【００５１】
詳細には、デバイス１は、静的に、すなわち、デバイス１が移動できないように支持されてもよい、または好ましくは、デバイス１は、可動であり、そのため、支持デバイス１が水平平面に沿って床に対して移動されることを可能にするのに適した摺動手段３を備えてもよい。
【００５２】
摺動手段３は、ホイール、好ましくは、旋回ホイールを備える。
【００５３】
摺動手段３は、検査部分５の上に重ならないように収容部分４内の構造に適切に係合する。
【００５４】
摺動手段３は、適切に可動である。用語「取外し可能（ｒｅｍｏｖａｂｌｅ）」は、支持デバイス１が可動であってもよいことを指し、事実上排他的に摺動手段３を通して床と接触状態で置かれる、または、摺動手段３が床と接触状態にないときに、床に実質的にほぼ固定されることを意味する。
【００５５】
要約すると、摺動手段３が可動であることは、手段３が支持デバイス１から取外され得る／切離され得ることを指し、支持デバイス１は、したがって、摺動手段３を持たず、床に、実質的にかつほぼ固定される。したがって、放射線検査用支持デバイス１は、デバイス１の残りの部分に対して摺動手段３を固定するまたは取外すのに適した取付け具を備えてもよい。
【００５６】
代替的に、摺動手段３が取外し可能であると言うことは、固定支持体が摺動手段３を超えて垂直に下方に延在し得ることを指す。
【００５７】
この場合、支持デバイス１は、摺動手段３を収容部分４に対して垂直軸に沿って移動させて、デバイス１が、選択的に、床に対して可動であるかまたは実質上ほぼ固定されることを可能にするの適した、直線移動デバイス６、好ましくは、摺動手段３のそれぞれについて１つの直線移動デバイス６を備えてもよい。
【００５８】
直線移動デバイス６は、手段３の全てが、垂直方向にかつ同じ距離だけ同時に移動するように同期して制御されてもよい。代替的に、直線移動デバイス６は、摺動手段３のそれぞれの特定の垂直変位を獲得し、したがって、デバイス１を床に対して傾斜させるために独立に制御されてもよい。
【００５９】
各直線移動デバイス６は、ねじ機構、すなわち、中空ダクトであって、外周側面部材２と一体の垂直雌ねじ、及び、垂直に延在し、摺動手段３と一体であり、前記雌ねじに係合するねじを有する、中空ダクト、ならびに、前記ねじを制御するためのクランクであって、前記中空ダクトに対するねじの回転、したがって、手段３の垂直並進を制御するのに適する、クランクを備えてもよい。
【００６０】
放射線検査用支持デバイス１は、側部支持体７を更に備えてもよく、側部支持体７は、好ましくは外周側面部材２と構造的に同様でありまた特に中空管状トレリスで作られる。
【００６１】
側部支持体７は、外周側面部材２から突出し、放射線検査用支持デバイス１のための安定化器として働く。側部支持体７は、好ましくは、特に垂直回転軸を有するヒンジによって外周側面部材２に、特に、収容部分４に移動可能に結合されるため、外周側面部材２に沿って配置され得るまたは外周側面部材２から突出する支持位置に配置され得る。
【００６２】
側部支持体７は、好ましくは、数が少なくとも２つ、より好ましくは２つであり、互いに対向する、例えば、添付図に示すように、先に述べた平行六面体によって形成される矩形ベースの２つの対向する角に配置される。
【００６３】
最後に、支持デバイス１は、その安全な締結を保証するため、ねじまたは特定のフック等の、床と一体の保持手段を備えてもよい。
【００６４】
更に、支持デバイス１は、患者の望ましくない移動を防止する、特に、少なくとも分析される部分を実質的に固定して維持するように適合される保持器を備えてもよい。
【００６５】
保持器は、患者を検査壁５ａに押付けるように適合される。保持器は、収容部分４に結合され、好ましくは、曝射方向５ｂに沿って同じ収容部分４に対して並進できる傾向がある。特に、保持器は、収容部分４に対して分解可能な方法で拘束される。
【００６６】
詳細には、保持器は、曝射方向５ｂに平行である、対向する側面部材に対応して収容部分４に対して拘束される。より詳細には、保持器は、曝射方向５ｂに実質的に平行な前記対向する側面部材のセクションに対して拘束されて、側面部材に沿って摺動する、したがって、前記方向５ｂは検査壁５ａに近づく及び／または検査壁５ａから離れる。
【００６７】
保持器は、曝射方向５ｂに実質的に垂直な少なくとも１つのセクションバ−、また好ましくは、ポリマー、エラストマー、または他の材料等の軟質材料で作られたパディングを備える。
【００６８】
構造的意味で上述した支持デバイス１の機能は、次の通りである。
【００６９】
第１に、放射線検査用支持デバイス１は、放射線撮像デバイスの所に持ってこられ、検査部分５は、放射線撮像デバイスの検査エリアの内部に、すなわち、前記放射線撮像デバイスの線源とセンサとの間に（例えば、ガントリによって画定される検査エリア内に）置かれる。
【００７０】
次に、移動手段３は、述べたように（例えば、直線移動手段６によって床から手段３を垂直に持上げることによって）取外され、好ましくは、側部支持体７が、外方に転回されて、支持デバイスを安定にさせる。
【００７１】
放射線検査用支持デバイス１は、所定の場所にしっかり締結され、放射線検査が実施され得る。
【００７２】
患者を挿入するため、収容部分４は、開口され、患者が内部に導かれる。患者は、検査される部分が、検査部分５内に、したがって、前記検査エリア内にあるように配置される。
【００７３】
収容部分４の外周側面部材２は、その後、閉鎖され、患者は、外周側面部材２内の所定の場所にしっかり保持され、前記側面部材２による以外には移動できない。検査される身体の部分は、楔状検査壁５ａに接して検査部分５の内部で楔状になる。更に、前記壁は、要素５ｃを移動させる及び／または取除くことによって制御され調整される。
【００７４】
放射線検査用支持デバイス１によって、患者が直立でき、したがって、横にならないことに留意されたい。
【００７５】
代替的に、患者は、支持デバイス１の内部に最初に置かれてもよく、支持デバイス１は、その後、患者を放射線撮像デバイスまで輸送するために使用され得る。
【００７６】
検査の終りに、先の操作が、逆順で実施される。
【００７７】
例えば、収容部分は、開口されて、前記患者を解放し、その後、移動手段３が、（例えば、直線移動デバイス６を使用して手段３を垂直に床まで下げることによって）回復されて、支持デバイス１を放射線撮像デバイスから外方に移動させる。
【００７８】
代替的に、移動手段３は、（例えば、直線移動デバイス６を使用して手段３を垂直に床まで下げることによって）回復され、患者が依然として放射線検査用支持デバイス１の内部にいる状態で、適切な場所まで持っていかれ、収容部分は開口されて、前記患者を解放する。
【００７９】
本発明は幾つかの重要な利点を達成する。
【００８０】
放射線検査用支持デバイス１によって、患者を検査のため所定の位置に置くことは、簡単な操作である。支持デバイスは、先に述べた大型動物にとって特に有利である。出願人が行った実験に基づくと、こうした動物は、検査を実施するために鎮静剤を投与される必要はない。
【００８１】
別の重要な利点は、放射線検査用支持デバイス１によって、患者が、直立でき、画像採取中にその位置で維持され得ることにある。
【００８２】
更に、Ｘ線に透過性がある検査部分が存在するため、前記画像は、著しく正確かつ鮮明であり、損傷の程度を判定するまたは問題の身体の部分を検査するために役立つ。独立請求項及び従属請求項において述べる本発明の概念から逸脱することなく、本明細書で述べる発明に対して修正及び変形が行われてもよい。全ての詳細は、等価な要素で置換されてもよく、また、本発明の範囲は、全ての他の材料、形状、及び寸法を含む。
【図１】
2018535018.tif 000003
【図２】
2018535018.tif 000004
【図３】
2018535018.tif 000005
【図４】
2018535018.tif 000006
【図５】
2018535018.tif 000007
【図６】
2018535018.tif 000008
【図７】
2018535018.tif 000009
【国際調査報告】
2018535018.tif 000010
2018535018.tif 000011
2018535018.tif 000012